(57)【特許請求の範囲】
【請求項１】
超音波振動子を内蔵し、該超音波振動子のホーンの先端が端部に突出したケースと、該ケースの前記超音波振動子のホーンの下部に摺動部材を装着し、該摺動部材から突出するアンビルの接触部が前記超音波振動子のホーンと対向するように装着したアンビル部と、前記ケースの前記超音波振動子のホーンを装着した部分の両側部に装着された回動軸と、該回動軸に三角部材の三角形の２つの辺によって形成された頂点近傍が前記ケースを夾むように回動可能に装着され、前記三角部材の２つの辺の底部から一体となってケースの下方に斜めに長く伸びた把持部を設けた回動部材と、該回動部材の前記三角部材の２つの辺の中間部分に固着された駆動軸と、前記アンビル部の摺動部材に固着した支持軸と、前記駆動軸と前記支持軸の間に装着したＵ字状バネとからなり、前記回動部材の前記把持部を前記ケースに近づけるように移動することにより、前記回動部材の三角部材に固着した駆動軸で前記Ｕ字状バネを押し、前記Ｕ字状バネで前記アンビル部の摺動部材に固着した前記支持軸を押すことにより、前記アンビル部の前記アンビルの接触部を前記超音波振動子のホーンと接触させて、前記ホーンと前記アンビルの接触部とで挟持した部材を溶着することを特徴とする超音波溶着器。
【請求項２】
超音波振動子を内蔵し、該超音波振動子のホーンの先端が端部に突出したケースと、該ケースの前記超音波振動子のホーンの下部に摺動部材を装着し、該摺動部材から突出するアンビルの接触部が前記超音波振動子のホーンと対向するように装着したアンビル部と、前記ケースの前記超音波振動子のホーンを装着した部分の両側部に装着された回動軸と、該回動軸に三角部材の三角形の２つの辺によって形成された頂点近傍が前記ケースを夾むように回動可能に装着され、前記三角部材の２つの辺の底部から一体となってケースの下方に斜めに長く伸びた把持部を設けた回動部材と、該回動部材の前記三角部材の２つの辺の中間部分に固着された駆動軸と、前記アンビル部の摺動部材に固着した支持軸と、前記駆動軸と前記支持軸の間に装着したコイルバネとからなり、前記回動部材の前記把持部を前記ケースに近づけるように移動することにより、前記回動部材の三角部材に固着した駆動軸で前記コイルバネを引き、前記コイルバネで前記アンビル部の摺動部材に固着した前記支持軸を引くことにより、前記アンビル部の前記アンビルの接触部を前記超音波振動子のホーンと接触させて、前記ホーンと前記アンビルの接触部とで挟持した部材を溶着することを特徴とする超音波溶着器。
【発明の詳細な説明】
【技術分野】
【０００１】
本発明は、アンビルを一定の力で移動し、常に一定の圧力で被溶着物を溶着することができる超音波溶着器に関するものである。
【背景技術】
【０００２】
従来、図７に示すように、パッケージの端部を溶着するために、上部支持部材１と下部支持部材２の一方の端部に突出部１ａ、２ａを設け、この突出部１ａ、２ａに回動軸３を装着し、この回動軸３から離れた位置にバネ４を設け、又、上部支持部材１の他方の端部から振動端５ａが突出するように超音波振動子５を装着し、下部支持部材２の他端にアンビル６を装着し、超音波振動子５の振動端５ａとアンビル６の間に被溶着物７を挿入し、振動端５ａとアンビル６を互いに押し付け合うことにより、超音波振動が発生し、振動端５ａとアンビル６との間に挿入された突出した被溶着物７を溶着するようにした超音波溶着器が提案されている。
【０００３】
しかしながら、被溶着物７を溶着する場合は、バネ４に抗して上部支持部１及び下部支持部２を互いに押し付け合うようにして溶着するため、上部支持部１及び下部支持部２に加える力が一定でなく、作業者の力の入れ具合により溶着状態が異なるため、加工が難しいという問題があり、又、上部支持部材１と下部支持部材２を強く押し付けると、アンビル６や超音波振動子５の振動端５ａに力がかかり過ぎて、アンビル６や超音波振動子５のホーン５ａが破損したり、アンビル６の取付固定ネジを壊してしまうという問題があった。
【特許文献１】特願２００２−２２８２５３
【発明の開示】
【発明が解決しようとする課題】
【０００４】
解決しようとする問題点は、上部支持部１及び下部支持部２に加える力が一定でなく、作業者の力の入れ具合により溶着状態が異なるため、加工が難しいという問題がある。
【課題を解決するための手段】
【０００５】
本発明では、超音波振動子を内蔵し、該超音波振動子のホーンの先端が端部に突出したケースと、該ケースの前記超音波振動子のホーンの下部に摺動部材を装着し、該摺動部材から突出するアンビルの接触部が前記超音波振動子のホーンと対向するように装着したアンビル部と、前記ケースの前記超音波振動子のホーンを装着した部分の両側部に装着された回動軸と、該回動軸に三角部材の三角形の２つの辺によって形成された頂点近傍が前記ケースを夾むように回動可能に装着され、前記三角部材の２つの辺の底部から一体となってケースの下方に斜めに長く伸びた把持部を設けた回動部材と、該回動部材の前記三角部材の２つの辺の中間部分に固着された駆動軸と、前記アンビル部の摺動部材に固着した支持軸と、前記駆動軸と前記支持軸の間に装着したＵ字状バネとからなり、前記回動部材の前記把持部を前記ケースに近づけるように移動することにより、前記回動部材の三角部材に固着した駆動軸で前記Ｕ字状バネを押し、前記Ｕ字状バネで前記アンビル部の摺動部材に固着した前記支持軸を押すことにより、前記アンビル部の前記アンビルの接触部を前記超音波振動子のホーンと接触させて、前記ホーンと前記アンビルの接触部とで挟持した部材を溶着するものであり、又、超音波振動子を内蔵し、該超音波振動子のホーンの先端が端部に突出したケースと、該ケースの前記超音波振動子のホーンの下部に摺動部材を装着し、該摺動部材から突出するアンビルの接触部が前記超音波振動子のホーンと対向するように装着したアンビル部と、前記ケースの前記超音波振動子のホーンを装着した部分の両側部に装着された回動軸と、該回動軸に三角部材の三角形の２つの辺によって形成された頂点近傍が前記ケースを夾むように回動可能に装着され、前記三角部材の２つの辺の底部から一体となってケースの下方に斜めに長く伸びた把持部を設けた回動部材と、該回動部材の前記三角部材の２つの辺の中間部分に固着された駆動軸と、前記アンビル部の摺動部材に固着した支持軸と、前記駆動軸と前記支持軸の間に装着したコイルバネとからなり、前記回動部材の前記把持部を前記ケースに近づけるように移動することにより、前記回動部材の三角部材に固着した駆動軸で前記コイルバネを引き、前記コイルバネで前記アンビル部の摺動部材に固着した前記支持軸を引くことにより、前記アンビル部の前記アンビルの接触部を前記超音波振動子のホーンと接触させて、前記ホーンと前記アンビルの接触部とで挟持した部材を溶着するものである。
【発明の効果】
【０００６】
本発明の超音波溶着器は、回動部材に装着した駆動軸とアンビル部の摺動部に装着した支持軸の間にＵ字状バネ又はコイルバネを装着し、回動部材を回動することにより、駆動軸でＵ字状バネ又はコイルバネを押すか又は引き、支持軸で摺動部材を移動してアンビルを駆動するようにしているので、回動部材に加わる力にむらがあっても、アンビルを移動する力はＵ字状バネ又はコイルバネにより一定になるので、アンビルは常に一定の力で超音波振動子のホーンの端部に押圧され、被溶着物は常に一定の力で溶着される。
【実施例】
【０００７】
図１は本発明の実施例の超音波溶着器の側面図、図２は図１の超音波溶着器の一部を切り欠いた側面図、図３は図１の超音波溶着器の上面図、図４は図１の駆動軸の部分の断面図、図５は図１の支持軸の部分の断面図で、ケース８の一端に超音波振動子９のホーン９ａの端部が突出され、ケース８の下部にアンビル部１０の摺動部材１０ａが摺動可能に装着され、摺動部材１０ａからアンビル１０ｂがほぼ垂直に形成され、アンビル１０ｂの端部は超音波振動子９のホーン９ａの端部と接触するように構成され、ケース８の両側面に装着された回動軸１１で回動部材１２の一端が突出して三角形の２つの辺と頂点によって形成された三角部材１２ａの頂点部分が支持され、又、回動部材１２は三角部材１２ａからケース８の下方に斜めに伸びた端部に把持部１２ｂが形成され、さらに、回動部材１２の三角部材１２ａの底部近傍に駆動軸１３が固着され、又、アンビル部１０の摺動部材１０ａを貫通して支持軸１４が摺動部材１０ａに固着され、駆動軸１３と支持軸１４の間にＵ字状のバネ１５が装着されている。
【０００８】
このように構成された本実施例の超音波溶着器では、図１に示すように、ケース８の側面に回動可能に装着された回動部材１２の把持部１２ｂをケース８の方向に押し付けると、回動部材１２の三角部材１２ａに固着された駆動軸１３でＵ字状のバネ１５がバネの力に抗して押され、バネ１５が戻る力によって、アンビル部１０の摺動部材１０ａに固着された支持軸１４が押されるので、支持軸１４はバネ１５の戻る力によって移動され、アンビル部１０の摺動部材１０ａと一体となったアンビル１０ｂの端部が超音波振動子９のホーン９ａの方向に移動し、アンビル１０ｂの端部とホーン９ａの先端との間に介在された被溶着物を挟圧して超音波の振動による摩擦熱で溶着することができる。
【０００９】
このように、本実施例の超音波溶着器では、回動部材１２の把持部１２ｂは回動することにより、駆動軸１３でバネ１５を押し、バネ１５の戻る力で支持軸１４を押すので、常にバネ１５の戻る力で支持軸１４を押し、アンビル部１０の摺動部材１０ａを押すので、アンビル１０ｂの端部は超音波振動子９のホーン９ａに常に一定の力で押圧することができる。
【００１０】
図６は本発明の他の実施例の超音波溶着器の一部を切り欠いた側面図で、８はケース、９は超音波振動子、９ａはホーン、１０はアンビル部、１０ａは摺動部材、１０ｂはアンビル、１１は回動軸、１２は回動部材、１２ａは把持部、１３は駆動軸、１４は支持軸で、これらの構成は上記実施例と同じであるので、説明は省略するが、本実施例では、支持軸１４がアンビル１０ｂのほぼ下方の摺動部材１０ａに固着され、この支持軸１４と回動部材１２に固着された駆動軸１３の間にコイルバネ１６が装着されている。
【００１１】
このように構成された本実施例では、回動部材１２の把持部１２ａをケース８の方向に押し付けると、回動部材１２に固着された駆動軸１３が移動され、それによって、コイルバネ１６が引っ張られ、それによって、コイルバネ１６が支持軸１４を引っ張られることにより、アンビル部１０の摺動部材１０ａが図の右方向に移動することによって、摺動部材１０ａと一体となったアンビル１０ｂの端部と超音波振動子９のホーン９ａの端部との間に置かれた被溶着物が溶着される。    
【００１２】
本実施例は、このように、回動部材１２の把持部１２ａの回動によって、回動部材１２に固着された駆動軸１３が移動され、それによって、コイルバネ１６が引っ張られ、このコイルバネ１６によって支持軸１４が移動し、アンビル部１０の摺動部材１０ａが支持軸１４とともに移動し、アンビル１０ａと超音波振動子９のホーン９ａの間に挟持された被溶着物を溶着する。
【産業上の利用可能性】
【００１３】
なお、上記図１、図２の実施例では、駆動軸１３と支持軸１４の間に装着したバネはＵ字状ば１５を使用したが、コイルバネでも良いし、板バネをじぐざく状に形成したものでも良い。
【図面の簡単な説明】
【００１４】
【図１】本発明の実施例の超音波溶着器の側面図である。
【図２】図１の超音波溶着器の一部断面側面図である。
【図３】図１の超音波溶着器の一上面図である。
【図４】図１の超音波溶着器の駆動軸部分の断面図である。
【図５】図１の超音波溶着器の支持軸部分の断面図である。
【図６】図６は本発明の他の実施例の超音波溶着器の一部を切り欠いた側面図である。
【図７】従来の超音波溶着器の構成図である。
【符号の説明】
【００１５】
８                ケース
９                超音波振動子
１０              アンビル
１１              回動軸
１２              回動部材
１３              駆動軸
１４              支持軸
１５              Ｕ字状のバネ
１６              コイルバネ
【図１】
0004649576.tif 000002
【図２】
0004649576.tif 000003
【図３】
0004649576.tif 000004
【図４】
0004649576.tif 000005
【図５】
0004649576.tif 000006
【図６】
0004649576.tif 000007
【図７】
0004649576.tif 000008